(57)【要約】【課題】手を効率的に乾燥させる手乾燥装置に用いるファンモータ用の直流ブラシレスモータにおいて、軸姿勢検出用センサとしてホール素子などが予め備え付けられていないため、異常が発生したことを検知するのは困難である。【解決手段】吸い込み口９から吸い込まれた外気がファンモータ８ａ、８ｂを通る際に熱を受け、気流の温度が上昇することを利用し、ファンモータ８ａ、８ｂから送風された気流を吹出温センサ１１で計測することでファンモータ８ａ、８ｂの異常を検知する手乾燥装置である。【選択図】図１
2010220918.tif 000002
【特許請求の範囲】
【請求項１】
外部に向かって開口した挿入口から手を抜き差しする乾燥室と、前記乾燥室内の底部に向けて空気を送出するノズルと、前記ノズルから送出する空気と運転時の廃熱を送出するファンモータと、前記ノズルから送出する空気の温度を計測する吹出温計測手段と、前記乾燥室の開口した挿入口から手を抜き差しされたことを検知する手検知手段と、前記手検知手段と前記吹出温計測手段からの信号により前記ファンモータを動作させる制御手段とを備えた手乾燥装置であって、前記制御手段は、前記ファンモータからの廃熱を前記吹出温計測手段で検出し、検出された温度により前記ファンモータの異常を検知することを特徴とする手乾燥装置。
【請求項２】
前記制御手段は、前記吹出温計測手段で検出した温度が第一の閾値未満の時に前記ファンモータの異常を検知することを特徴とする請求項１に記載の手乾燥装置。
【請求項３】
前記制御手段は、前記吹出温計測手段で検出した温度が第二の閾値以上の時に前記ファンモータの異常を検知することを特徴とする請求項１に記載の手乾燥装置。
【請求項４】
前記制御手段は、前記吹出温計測手段で検出した温度が第二の閾値未満に回復した時に前記ファンモータの異常を解除することを特徴とする請求項３に記載の手乾燥装置。
【請求項５】
前記制御手段は、前記吹出温計測手段で検出した温度が一定時間経過した後に第一の閾値未満の時に前記ファンモータの異常を検知することを特徴とする請求項１に記載の手乾燥装置。
【請求項６】
周囲の温度を計測する周囲温計測手段と、前記手検知手段と前記吹出温計測手段と前記周囲温計測手段からの信号により前記ファンモータを動作させる制御手段とを備えた手乾燥装置であって、前記制御手段は、前記吹出温計測手段による計測温度と前記周囲温計測手段による計測温度との温度差により前記ファンモータの異常を検知することを特徴とする請求項１に記載の手乾燥装置。
【請求項７】
前記制御手段は、前記吹出温計測手段による計測温度と前記周囲温計測手段による計測温度との温度差が第一の所定値未満の時に前記ファンモータの異常を検知することを特徴とする請求項６に記載の手乾燥装置。
【請求項８】
前記制御手段は、前記吹出温計測手段による計測温度と前記周囲温計測手段による計測温度との温度差が第二の所定値以上の時に前記ファンモータの異常を検知することを特徴とする請求項６に記載の手乾燥装置。
【請求項９】
前記制御手段は、前記吹出温計測手段による計測温度と前記周囲温計測手段による計測温度との温度差が第二の所定値未満の時に前記ファンモータの異常を解除することを特徴とする請求項８に記載の手乾燥装置。
【請求項１０】
前記制御手段は、前記吹出温計測手段による計測温度と前記周囲温計測手段による計測温度との温度差が一定時間経過した後に第一の所定値未満の時に前記ファンモータの異常を検知することを特徴とする請求項６に記載の手乾燥装置。
【請求項１１】
前記吹出温計測手段による計測温度と前記周囲温計測手段による計測温度から前記ファンモータの状態を推定したテーブルを備えた記憶手段とを備えた手乾燥装置であって、前記制御手段は、前記記憶手段により決定された前記ファンモータの状態に応じて運転を行うことを特徴とする請求項６〜１０のいずれか一つに記載の手乾燥装置。
【請求項１２】
前記制御手段は、運転開始時に前記吹出温計測手段による計測温度が第二の所定値以上の時に異常を検知することを特徴とする請求項６〜１１のいずれか一つに記載の手乾燥装置。
【発明の詳細な説明】
【技術分野】
【０００１】
本発明は、手を効率的に乾燥させる手乾燥装置に関するものである。
【背景技術】
【０００２】
従来、トイレなどの洗面台付近には、手洗いによって濡れた手を装置の乾燥室に挿入し、高速気流によって付着した水滴を吹き飛ばすことで、手を乾燥させる手乾燥装置が設置されている。この手乾燥装置は、上記の高速気流を噴出するためにファンモータが備え付けられており、乾燥室への手の挿入などの使用者の操作によってファンモータを駆動させる。
【０００３】
手乾燥装置においてファンモータに異常が発生した場合、高速気流による手乾燥を行うことができなくなる。この異常を検知するため、ファンモータの出力軸の姿勢を検知し、この値が規定の範囲外になったことを判断して、ファンモータの駆動を禁止する手乾燥装置が知られている（特許文献１参照）。
【特許文献１】特開平７−２６０６２２号公報
【発明の開示】
【発明が解決しようとする課題】
【０００４】
しかしながら、前述の手乾燥装置を用いた場合は次のような課題がある。
【０００５】
従来の手乾燥装置では、ファンモータの回転数を観測して異常を検知していた。従来は、直流ブラシレスモータなどの軸姿勢検出用センサ付きモータを使い、回転数を制御手段が観測できることが前提となっていた。従来の手乾燥装置はホール素子のようなセンサを、モータの位相角度等に合わせた正確な位置へ取り付けることが必要になる。例えば直流ブラシレスモータなどのように、予め備え付けられたホール素子を利用するのではなく、ホール素子が搭載されていないブラシ付き交流モータを利用した際には、新たにホール素子を備える必要がある。ホール素子を利用するためには、回路をファンモータに実装する必要があり、その信号から回転数を演算する装置が必要となる。
【０００６】
ところで、より高速で大風量の気流を送風するためには、ファンモータの送風量を増大させる必要があるが、これには問題点がある。
【０００７】
ファンモータが大型化することにより、本体の大きさまでも大型化させることに繋がるということである。手乾燥装置は洗面所付近の壁面に備え付けられることが多く、特に小型の洗面所スペースに設置する際には、この本体の大きさが使用者の洗面所の使い勝手に大きく影響すると考えられる。
【０００８】
本体の大型化の問題を解決するため、ファンモータを２台搭載する方法が考えられる。ファンモータを２台搭載することで、大型のファンモータと同様の風量を送風する際には、ファンモータを小型化させ、更には回転数も約半分で同じ効果がある。
【０００９】
以上のように、大風量化、小型化を目指した結果、複数台のファンモータを搭載する方法が考えられるが、前述したホール素子を利用した回路構成とした場合、そのファンモータの台数と同じだけのホール素子等の検出回路が必要となる。
【００１０】
従って、従来の手乾燥装置のように軸姿勢検出手段が備えられていない交流モータにおいて、高価な回路を利用せずともモータ異常が検知できる方法が必要となる。
【００１１】
更に、上記の回転数を観測する方法は手乾燥装置特有の課題がある。
【００１２】
手乾燥装置は、乾燥のために駆動する時間が短い商品ということである。例えば、毛髪を乾燥させるためのヘアドライヤーや、衣類を乾燥させる衣類乾燥機等などは、通常数分から数十分の乾燥時間がかかる。これらの商品と比較して、ファンモータは数秒から十数秒間で乾燥を完了させる必要があり、駆動時間が短い。その結果、使用方法によってはファンモータの回転数が安定するまで時間をかけて使われないことがある。手乾燥装置のように短時間の駆動時間であってもファンモータの異常を検知する必要がある。
【００１３】
以上のことから、本発明では、交流モータを利用した手乾燥装置において、安価な手段を用いてモータ異常を検知する手段を提供する。
【課題を解決するための手段】
【００１４】
本発明の手乾燥装置は上記目的を達成するために、外部に向かって開口した挿入口から手を抜き差しする乾燥室と、前記乾燥室内の底部に向けて空気を送出するノズルと、前記ノズルから送出する空気と運転時の廃熱を送出するファンモータと、前記ノズルから送出する空気の温度を計測する吹出温計測手段と、前記乾燥室の開口した挿入口から手を抜き差しされたことを検知する手検知手段と、前記手検知手段と前記吹出温計測手段からの信号により前記ファンモータを動作させる制御手段とを備えた手乾燥装置であって、前記制御手段は、前記ファンモータからの廃熱を前記吹出温計測手段で検出し、検出された温度により前記ファンモータの異常を検知することを特徴とする。
【００１５】
この手段により、前記制御手段は、手乾燥運転前に前記吹出温計測手段によって検出された温度と、手乾燥運転中に前記吹出温計測手段によって検出された温度とを比較して、その温度差を検知してモータ異常を検知するという効果が得られる。
【００１６】
また、他の手段は、前記制御装置は、前記吹出温計測手段で検出した温度が第一の閾値未満の時に前記ファンモータの異常を検知することを特徴とする。
【００１７】
この手段により、前記制御手段は、手乾燥運転中に前記吹出温計測手段によって検出された温度が第一の閾値まで上昇しないことを検知してモータ異常を検知するという効果が得られる。
【００１８】
また、他の手段は、前記制御装置は、前記吹出温計測手段で検出した温度が第二の閾値以上の時に前記ファンモータの異常を検知することを特徴とする。
【００１９】
この手段により、前記制御手段は、手乾燥運転中に前記吹出温計測手段によって検出された温度が第二の閾値以上に上昇したことを検知してモータ異常を検知するという効果が得られる。
【００２０】
また、他の手段は、前記制御装置は、前記吹出温計測手段で検出した温度が第二の閾値未満に回復した時に前記ファンモータの異常を解除することを特徴とする。
【００２１】
この手段により、前記制御手段は、手乾燥運転中に前記吹出温計測手段によって検出された温度から前記ファンモータに異常が発生した後に、第二の閾値未満に回復したことを検知し異常を解除するという効果が得られる。
【００２２】
また、他の手段は、前記制御装置は、前記吹出温計測手段で検出した温度が一定時間経過した後に第一の閾値未満の時に前記ファンモータの異常を検知することを特徴とする。
【００２３】
この手段により、前記制御手段は、手乾燥運転中に前記吹出温計測手段によって検出された温度から、第一の閾値未満まで低下したことを検知してモータ異常を検知するという効果が得られる。
【００２４】
また、他の手段は、周囲の温度を計測する周囲温計測手段と、前記手検知手段と前記吹出温計測手段と前記周囲温計測手段からの信号により前記ファンモータを動作させる制御手段とを備えた手乾燥装置であって、前記制御手段は、前記吹出温計測手段による計測温度と前記周囲温計測手段による計測温度との温度差により前記ファンモータの異常を検知することを特徴とする。
【００２５】
この手段により、前記制御手段は、手乾燥運転中に前記吹出温計測手段によって検出された温度と、手乾燥運転中に前記周囲温計測手段によって検出された温度とを比較して、その温度差を検知してモータ異常を検知するという効果が得られる。
【００２６】
また、他の手段は、前記制御装置は、前記吹出温計測手段による計測温度と前記周囲温計測手段による計測温度との温度差が第一の所定値未満の時に前記ファンモータの異常を検知することを特徴とする。
【００２７】
この手段により、前記制御手段は、手乾燥運転中に前記吹出温計測手段によって検出された温度と、手乾燥運転中に前記周囲温計測手段によって検出された温度とを比較して、第一の所定値まで上昇しないことを検知してモータ異常を検知するという効果が得られる。
【００２８】
また、他の手段は、前記制御装置は、前記吹出温計測手段による計測温度と前記周囲温計測手段による計測温度との温度差が第二の所定値以上の時に前記ファンモータの異常を検知することを特徴とする。
【００２９】
この手段により、前記制御手段は、手乾燥運転中に前記吹出温計測手段によって検出された温度と、手乾燥運転中に前記周囲温計測手段によって検出された温度とを比較して、第二の所定値以上に上昇したことを検知してモータ異常を検知するという効果が得られる。
【００３０】
また、他の手段は、前記制御装置は、前記吹出温計測手段による計測温度と前記周囲温計測手段による計測温度との温度差が第二の所定値未満の時に前記ファンモータの異常を解除することを特徴とする。
【００３１】
この手段により、前記制御手段は、手乾燥運転中に前記吹出温計測手段によって検出された温度と、手乾燥運転中に前記周囲温計測手段によって検出された温度とを比較して、前記ファンモータが異常に高い回転数で駆動していることを推測した後に、第二の所定値未満まで低下したことを検知して異常を解除するという効果が得られる。
【００３２】
また、他の手段は、前記制御装置は、前記吹出温計測手段による計測温度と前記周囲温計測手段による計測温度との温度差が一定時間経過した後に第一の所定値未満の時に前記ファンモータの異常を検知することを特徴とする。
【００３３】
この手段により、前記制御手段は、手乾燥運転中に前記吹出温計測手段によって検出された温度と、手乾燥運転中に前記周囲温計測手段によって検出された温度とを比較して、前記吹出温計測手段によって検出された温度が、第一の所定値未満まで低下したことを検知してモータ異常を検知するという効果が得られる。
【００３４】
また、他の手段は、前記吹出温計測手段による計測温度と前記周囲温計測手段による計測温度から前記ファンモータの状態を推定したテーブルを備えた記憶手段とを備えた手乾燥装置であって、前記制御手段は、前記記憶手段により決定された前記ファンモータの状態に応じて運転を行うことを特徴とする。
【００３５】
この手段により、前記制御手段は、手乾燥運転中に前記吹出温計測手段によって検出された温度と、手乾燥運転中に前記周囲温計測手段によって検出された温度より、前記記憶装置に記憶されたテーブルから前記ファンモータの状態を算出してモータ異常を検知するという効果が得られる。
【００３６】
また、他の手段は、前記制御装置は、運転開始時に前記吹出温計測手段による計測温度が第二の所定値以上の時に異常を検知することを特徴とする。
【００３７】
この手段により、前記制御手段は、手乾燥運転中に前記吹出温計測手段によって検出された温度より、第二の所定値以上であることを検知してモータ異常を検知するという効果が得られる。
【発明の効果】
【００３８】
本発明によれば、前記制御手段は、手乾燥装置の手乾燥運転中又は手乾燥運転開始時に前記ファンモータの状態を推測し、異常が発生している場合は安全に停止して異常を表示することができる。
【発明を実施するための最良の形態】
【００３９】
請求項１記載の発明は、前記ファンモータからの廃熱を前記吹出温計測手段で検出し、検出された温度により前記ファンモータの異常を検知することを特徴とする手乾燥装置であり、前記ファンモータが動作していない場合には手乾燥運転時の廃熱が送出されないことから、手乾燥運転前と手乾燥運転中で吹出温が変化していないことを検知して、前記ファンモータが正常に駆動していないことを推測するという作用を有する。
【００４０】
請求項２記載の発明は、前記吹出温計測手段で検出した温度が第一の閾値未満の時に前記ファンモータの異常を検知することを特徴とする手乾燥装置であり、前記ファンモータが正常値より低い回転数で動作している場合には手乾燥運転時の廃熱が正常範囲より少ないことから、手乾燥運転中の吹出温が正常値を下回っていることを検知して、前記ファンモータが正常状態より低い回転数で駆動していることを推測するという作用を有する。
【００４１】
請求項３記載の発明は、前記吹出温計測手段で検出した温度が第二の閾値以上の時に前記ファンモータの異常を検知することを特徴とする手乾燥装置であり、前記ファンモータが正常値より高い回転数で動作している場合には手乾燥運転時の廃熱が正常範囲より多いことから、手乾燥運転中の吹出温が正常値を上回っていることを検知して、前記ファンモータが正常状態より高い回転数で駆動していることを推測するという作用を有する。
【００４２】
請求項４記載の発明は、前記吹出温計測手段で検出した温度が第二の閾値未満に回復した時に前記ファンモータの異常を解除することを特徴とする手乾燥装置であり、前記ファンモータが正常状態より高い回転数で駆動していることを推測した後に、正常範囲の回転数で動作したために手乾燥運転時の廃熱が正常範囲になったことから、手乾燥運転中の吹出温が正常範囲になったことを検知して、前記ファンモータが過熱による異常状態から回復したことを推測するという作用を有する。
【００４３】
請求項５記載の発明は、前記吹出温計測手段で検出した温度が一定時間経過した後に第一の閾値未満の時に前記ファンモータの異常を検知することを特徴とする手乾燥装置であり、前記ファンモータが正常範囲の回定数で動作した後に正常値より低い回転数で動作している場合に、手乾燥運転時の廃熱が正常範囲よりも少なくなることから、手乾燥運転中の吹出温が正常値を下回っていることを検知して、前記ファンモータに異常が発生したことを推測するという作用を有する。
【００４４】
請求項６記載の発明は、前記吹出温計測手段による計測温度と前記周囲温計測手段による計測温度との温度差により前記ファンモータの異常を検知することを特徴とする手乾燥装置であり、前記ファンモータが動作していない場合には手乾燥運転時の廃熱が送出されないことから、吹出温と周囲温に差がないことを検知して、前記ファンモータが正常に駆動していないことを推測するという作用を有する。
【００４５】
請求項７記載の発明は、前記吹出温計測手段による計測温度と前記周囲温計測手段による計測温度との温度差が第一の所定値未満の時に前記ファンモータの異常を検知することを特徴とする手乾燥装置であり、前記ファンモータが正常値より低い回転数で動作している場合には手乾燥運転時の廃熱が正常範囲より少ないことから、手乾燥運転中の吹出温と周囲温の差が正常値を下回っていることを検知して、前記ファンモータが正常状態より低い回転数で駆動していることを推測するという作用を有する。
【００４６】
請求項８記載の発明は、前記吹出温計測手段による計測温度と前記周囲温計測手段による計測温度との温度差が第二の所定値以上の時に前記ファンモータの異常を検知することを特徴とする手乾燥装置であり、前記ファンモータが正常値より高い回転数で動作している場合には手乾燥運転時の廃熱が正常範囲より多いことから、手乾燥運転中の吹出温と周囲温の差が正常値を上回っていることを検知して、前記ファンモータが正常状態より高い回転数で駆動していることを推測するという作用を有する。
【００４７】
請求項９記載の発明は、前記吹出温計測手段による計測温度と前記周囲温計測手段による計測温度との温度差が第二の所定値未満の時に前記ファンモータの異常を解除することを特徴とする手乾燥装置であり、前記ファンモータが正常状態より高い回転数で駆動していることを推測した後に、正常範囲の回転数で動作したために手乾燥運転時の廃熱が正常範囲になったことから、手乾燥運転中の吹出温と周囲温の差が正常範囲になったことを検知して、前記ファンモータが過熱による異常状態から回復したことを推測するという作用を有する。
【００４８】
請求項１０記載の発明は、前記吹出温計測手段による計測温度と前記周囲温計測手段による計測温度との温度差が一定時間経過した後に第一の所定値未満の時に前記ファンモータの異常を検知することを特徴とする手乾燥装置であり、前記ファンモータが正常範囲の回定数で動作した後に正常値より低い回転数で動作している場合に、手乾燥運転時の廃熱が正常範囲よりも少なくなることから、手乾燥運転中の吹出温と周囲温の差が正常値を下回っていることを検知して、前記ファンモータに異常が発生したことを推測するという作用を有する。
【００４９】
請求項１１記載の発明は、前記記憶手段により決定された前記ファンモータの状態に応じて運転を行うことを特徴とする手乾燥装置であり、前記ファンモータの動作によって手乾燥運転時の廃熱量が変化することから、手乾燥運転中の吹出温と周囲温の差から前記ファンモータの状態を推測するという作用を有する。
【００５０】
請求項１２記載の発明は、前記吹出温計測手段による計測温度が第二の所定値以上の時に異常を検知することを特徴とする手乾燥装置であり、手乾燥運転開始時に吹出温が正常値を上回っていることを検知して、手乾燥運転を行う前に前記ファンモータに異常が発生したことを推測するという作用を有する。
【００５１】
（実施の形態１）
図１は本発明の請求項１〜５における手乾燥装置の構成を示す図である。また、図２は手乾燥装置の動作を示すブロック図である。
【００５２】
まず、本実施の形態に関わる構成について説明する。手乾燥装置の本体１は洗面所等付近の壁面２に取り付けられている。手乾燥装置の本体１上部には、上方へと開口した乾燥室３があり、乾燥室３の内側面にノズル４と手検知センサ５が取り付けられている。手６は前記開口した乾燥室３から挿入される。手検知センサ５は本体１の下部に取り付けられた制御回路７と接続されている。乾燥室３下部にはファンモータ８ａ、８ｂが取り付けられており、本体１の下部に設けられた吸い込み口９より吸い込んだ空気を、ファンモータ８ａ、８ｂを介して乾燥室３へ送出する風路１０が設けられている。ファンモータ８ａ、８ｂは、発熱による過熱状態になるのを防止するため、ファンモータ８ａ、８ｂ自身の送風する気流で冷却される構造となっている。気流は風路１０を介してノズル４へと流れるが、この風路１０内に吹出温センサ１１が取り付けられている。吹出温センサ１１は制御回路７に接続されており、気流の温度を検知することが出来る。この吹出温センサ１１は、例えばサーミスタを用いたものを使用する。
【００５３】
次に、本実施の形態に関わる手乾燥装置の動作について説明する。待機中に使用者が、手洗い等の後に手６を乾燥室３内に挿入することで、手乾燥装置は駆動を開始する。この時、制御回路７は手検知センサ５によって使用者の手６を検知し、本体１内部に取り付けられた２つのファンモータ８ａ、８ｂを駆動する。この手検知センサ５は、例えば赤外線を、またこのファンモータ８ａ、８ｂは、例えばブラシ付き交流モータを用いたものを使用する。ファンモータ８ａ、８ｂは吸い込み口９から外気を吸い込み、気流として風路１０へと送風する。各ファンモータ８ａ、８ｂは数万ｒｐｍという高速回転をしているため、駆動には大きな電流を流す必要があるが、この電流の一部がファンモータ８ａ、８ｂを流れる際に熱となってファンモータ８ａ、８ｂの廃熱となる。その結果、吸い込み口９から吸い込まれた外気がファンモータ８ａ、８ｂを通る際に、ファンモータ８ａ、８ｂの廃熱を受け、熱を帯びた気流となる。気流はノズル４から乾燥室３へと百数十ｍ／ｓｅｃで勢いよく噴出される。気流は乾燥室３内に挿入された使用者の手６に当たり、手表面に付着した水分を吹き飛ばす。この水分は乾燥室３下部に取り付けられた水受け１２に溜まる構造となっている。
【００５４】
図３に本発明の実施の形態における手乾燥装置のモータ異常を検知する方法を、また、図４に本発明の実施の形態における手乾燥装置の動作時の吹出温の推移を示す。
【００５５】
吹出温センサ１１によって検知された風路１０内で検知された吹出温をＴ℃とする。本発明の手乾燥装置には第一の閾値Ｔ１℃及び第二の閾値Ｔ２℃が存在する。第一の閾値Ｔ１℃は、温度安定時の吹出温分布の下限を、また、第二の閾値Ｔ２℃は、温度安定時の吹出温分布の上限値を示している。
【００５６】
制御回路７が手検知センサ５からの手検知を待っている待機中（ＳＴ０）は、ファンモータ８ａ、８ｂが停止している。このとき、吹出温センサ１１が検知している温度は常温である。手検知センサ５が手を検知した場合（遷移Ａ）、ファンモータ８ａ、８ｂの駆動が始まり、ファンモータ８ａ、８ｂに電流が流れることでファンモータ８ａ、８ｂは温度上昇中（ＳＴ１）となる。温度上昇中はＴ＜Ｔ１の領域からＴ１≧Ｔ≧Ｔ２の正常な領域へ吹出温が上昇している。温度上昇中にＴがＴ１℃以上となった場合（遷移Ｂ）、吹出温はファンモータ８ａ、８ｂ駆動時の通常温度領域の下限であるＴ１℃を越えているため、温度安定中と判断される（ＳＴ２）。手検知センサ５が手を検知しなくなった場合（遷移Ｃ）、ファンモータ８ａ、８ｂの駆動を止めて、待機中（ＳＴ０）へ移行する。
【００５７】
次に、ファンモータ８ａ、８ｂの異常により、ファンモータ８ａ、８ｂが駆動しなかった場合について述べる。待機中（ＳＴ０）に手を検知すると、制御回路７はファンモータ８ａ、８ｂの駆動を開始する。しかしファンモータ８ａ、８ｂは、断線等の異常により回転を開始しなかった場合、ファンモータ８ａ、８ｂへの電流が流れないことからファンモータ８ａ、８ｂ自身は発熱することも送風することもなく、ファンモータ８ａ、８ｂは温度上昇中（ＳＴ１）の状態から変化がない。制御回路７は、遷移Ａにおいてタイマをスタートしているが、このタイマはこの温度上昇中（ＳＴ１）にカウントを行い、一定時間、例えば５秒程度のカウントの後にタイムアップする。温度上昇中（ＳＴ１）にタイムアップした場合（遷移Ｄ）は、低温異常中（ＳＴ３）に移行し、ファンモータ８ａ、８ｂの異常を検知した後にファンモータ８ａ、８ｂの動作を停止する。低温異常中（ＳＴ３）であっても、手検知センサ５が手を検知しなくなった場合（遷移Ｃ）、ファンモータ８ａ、８ｂの駆動が止まり、待機中（ＳＴ０）へ移行する。
【００５８】
次に、ファンモータ８ａ、８ｂが正常に動作中に、装置の故障によりファンモータ８ａ、８ｂが異常に高い回転数で回転を始め、正常な動作では起こらない発熱を始めた場合について述べる。温度安定中（ＳＴ２）に、Ｔ≧Ｔ２となった場合、吹出温が異常な発熱を始めたことを検知できる。制御回路７は高温異常中（ＳＴ４）へと移行（遷移Ｅ）し、ファンモータ８ａ、８ｂの動作を停止する。また、高温異常中（ＳＴ４）であっても、吹出温の温度が低下してＴ＜Ｔ２となった場合に、異常な高温状態からは抜け出したことを検知して待機中（ＳＴ０）へと移行（遷移Ｆ）する。
【００５９】
次に、ファンモータ８ａ、８ｂが正常動作中に装置の故障によりファンモータ８ａ、８ｂが停止するか低い回転数で回転を始め、正常な動作と比べて発熱が減少し始めた場合について述べる。温度安定中（ＳＴ２）に、Ｔ＜Ｔ１となった場合、吹出温が通常よりも低下し始めたことを検知できる。制御回路７は低温異常中（ＳＴ３）へと以降（遷移Ｇ）し、ファンモータ８ａ、８ｂの動作を停止する。低温異常中（ＳＴ３）は、手検知センサ５が手を検知しなくなった場合（遷移Ｃ）に待機中（ＳＴ０）へ移行する。
【００６０】
（実施の形態２）
図５は本発明の請求項６〜１０における手乾燥装置の構成を示す図である。また、図６は手乾燥装置の動作を示すブロック図である。
【００６１】
まず、本実施の形態に関わる構成について説明する。実施の形態１と同じ箇所については説明を省略する。外気は吸い込み口９を介してファンモータ８ａ、８ｂへと吸い込まれるが、この吸い込み口９近辺に周囲温センサ１３が取り付けられている。周囲温センサ１３は制御回路７に接続されており、外気の温度を検知することが出来る。この周囲温センサ１３は、例えばサーミスタを用いたものを使用する。
【００６２】
図７に本発明の実施の形態における手乾燥装置のモータ異常を検知する方法を示す。
【００６３】
吹出温センサ１１によって検知された吹出温と周囲温センサ１３によって検知された周囲温の温度差をΔＴ℃とする。本発明の手乾燥装置には第一の所定値ΔＴ１℃及び第二の所定値ΔＴ２℃を備える。第一の所定値ΔＴ１℃は、温度安定時の温度差分布の下限に対応させて、また、第二の所定値ΔＴ２℃は、温度安定時の温度差分布の上限値に対応させてあらかじめ設定する値である。
【００６４】
制御回路７が手検知センサ５からの手検知を待っている待機中（ＳＴ０）は、ファンモータ８ａ、８ｂが停止している。このとき、吹出温・周囲温共に常温である。手検知センサ５が手を検知した場合（遷移Ａ）、ファンモータ８ａ、８ｂの駆動が始まり、ファンモータ８ａ、８ｂに電流が流れることでファンモータ８ａ、８ｂの温度上昇中（ＳＴ１）となる。吹出温はファンモータ８ａ、８ｂの発熱を受けて上昇するが、周囲温は常温のまま変化がないため、ΔＴは０から増加する。温度上昇中はΔＴ＜ΔＴ１の領域からΔＴ１≧ΔＴ≧ΔＴ２の正常な領域へ吹出温が上昇している。温度上昇中にΔＴがΔＴ１℃以上となった場合（遷移Ｂ）、吹出温はファンモータ８ａ、８ｂ駆動時の通常温度領域の下限であるΔＴ１℃を越えているため、温度安定中と判断する（ＳＴ２）。手検知センサ５が手を検知しなくなった場合（遷移Ｃ）、ファンモータ８ａ、８ｂの駆動が止まり、待機中（ＳＴ０）へ移行する。
【００６５】
ここでΔＴ１について、周囲温を０℃、２０℃、４０℃の各々の環境とした場合について述べる。本実施の形態では、手乾燥装置が駆動しファンモータ８ａ、８ｂが発熱することで、その動作に対してどれだけ温度が上昇したかを検出する。従って、例えばΔＴ１を５℃とすると、外気が０℃に対して５℃上昇した場合と外気が４０℃に対して５℃上昇した場合は、同様に温度が上昇していることが判別できる。つまり、周囲温を検知して温度差を比較することで、手乾燥装置が温度変化のある環境に置かれた場合であったとしても、ファンモータ８ａ、８ｂが正常に動作しているか異常であるかを検知することが出来る。
【００６６】
次に、ファンモータ８ａ、８ｂの異常により、ファンモータ８ａ、８ｂが起動しなかった場合について述べる。待機中（ＳＴ０）に手を検知すると、制御回路７はファンモータ８ａ、８ｂの駆動を開始する。しかしファンモータ８ａ、８ｂは、断線等の異常により回転を開始できなかった場合、ファンモータ８ａ、８ｂへの電流が流れないことからファンモータ８ａ、８ｂ自身が発熱することも送風することもなく、ファンモータ８ａ、８ｂは温度上昇中（ＳＴ１）の状態から変化がない。制御回路７は、遷移Ａにおいてタイマをスタートしているが、このタイマはこの温度上昇中にカウントを行い、一定時間、例えば５秒程度のカウントの後にタイムアップする。温度上昇中（ＳＴ１）にタイムアップした場合（遷移Ｄ）は、低温異常中（ＳＴ４）に移行し、ファンモータ８ａ、８ｂの異常を検知し、その後にファンモータ８ａ、８ｂの動作を停止させる。低温異常中（ＳＴ４）であっても、手検知センサ５が手を検知しなくなった場合（遷移Ｃ）、ファンモータ８ａ、８ｂの駆動が止まり、待機中（ＳＴ０）へ移行する。
【００６７】
次に、ファンモータ８ａ、８ｂが正常に動作中に、装置の故障によりファンモータ８ａ、８ｂが異常に高い回転数で回転を始め、正常な動作では起こらない発熱を始めた場合について述べる。温度安定中（ＳＴ２）に、ΔＴ≧ΔＴ２となった場合、吹出温が異常な発熱を始めたことを検知できる。制御回路７は高温異常中（ＳＴ３）へと移行（遷移Ｅ）し、ファンモータ８ａ、８ｂの動作を停止する。高温異常中（ＳＴ３）は、吹出温の温度が低下してΔＴ＜ΔＴ２となった場合に、異常な高温状態からは抜け出したことを検知して待機中（ＳＴ０）へと移行（遷移Ｆ）する。
【００６８】
ここでΔＴ２について、周囲温を０℃、２０℃、４０℃の各々の環境とした場合について述べる。例えばΔＴ２を４０℃とすると、外気が０℃に対する４０℃と外気が４０℃に対する８０℃は、同様に温度が上昇し過ぎていることが判別できる。つまり、周囲温を検知して温度差を比較することで、手乾燥装置が温度変化のある環境に置かれた場合であったとしても、ファンモータ８ａ、８ｂに異常が発生していることを検知することが出来る。
【００６９】
次に、ファンモータ８ａ、８ｂが正常動作中に装置の故障によりファンモータ８ａ、８ｂが停止するか低い回転数で回転を始め、正常動作と比べて発熱が減少し始めた場合について述べる。温度安定中（ＳＴ２）に、ΔＴ＜ΔＴ１となった場合、吹出温が通常よりも低下し始めたことを検知できる。制御回路７は低温異常中（ＳＴ４）へと以降（遷移Ｇ）し、ファンモータ８ａ、８ｂの動作を停止する。低温異常中（ＳＴ４）は、手検知センサ５が手を検知しなくなった場合（遷移Ｃ）に待機中（ＳＴ０）へ移行する。
【００７０】
（実施の形態３）
図８は本発明の請求項１１における手乾燥装置の構成を示す図である。
【００７１】
まず、本実施の形態に関わる構成について説明する。実施の形態１〜２と同じ箇所については説明を省略する。制御回路７には記憶装置１４が接続されており、ファンモータ８ａ、８ｂから吹き出された気流の吹き出し温度を検知する吹出温センサ１１と、吸い込み口９近辺に設置され外気の温度を検知する周囲温センサ１３によって得られた２種類の温度を元に、予めファンモータ８ａ、８ｂの状態を推定するデータが入っている。
【００７２】
図９に本発明の実施の形態における手乾燥装置の記憶装置１４に内蔵された温度テーブルを示す。縦軸に吹出温を、また横軸に周囲温を取り、各温度から予想されるファンモータ８ａ、８ｂの状態を枠内に示す。例えば、周囲温度が２５℃の時、ファンモータ８ａ、８ｂが駆動することで吹出温が１０℃上昇していた場合、周囲温２５℃と吹出温３５℃の時、ファンモータ８ａ、８ｂの動作は正常であることが推定される。同様に、ファンモータ８ａ、８ｂが停止して常温のままであった場合、例えば周囲温２５℃に対して変化がない吹出温２５℃とすると、ファンモータ８ａ、８ｂの動作は異常であることが推定される。同様に、ファンモータ８ａ、８ｂの異常により過熱状態であった場合、例えば周囲温２５℃に対して４０℃上昇した吹出温７５℃とすると、ファンモータ８ａ、８ｂの動作は異常であることが推定される。
【００７３】
（実施の形態４）
図１０に本発明の請求項１２における手乾燥装置のモータ異常を検知する方法を、図１１に本発明の請求項１２における手乾燥装置の吹出温の推移を示す。手乾燥装置が停止中、ファンモータ８ａ、８ｂが何らかの物理的拘束によりファンモータ８ａ、８ｂが過負荷状態になり、ファンモータ８ａ、８ｂが異常な発熱をした場合、吸込温Ｔ℃は温度安定中に、温度安定時の吹出温分布の上限値であるＴ２よりも上昇していると考えられる。従って、使用者が手乾燥装置に手を挿入し、制御回路７が待機中（ＳＴ０）に手を検知した場合、温度上昇中（ＳＴ１）になると同時に、Ｔ≧Ｔ２であるため、高温異常中（ＳＴ４）に推移（遷移Ｈ）する。制御回路７は高温異常中（ＳＴ３）へと移行（遷移Ｅ）し、ファンモータ８ａ、８ｂの動作を停止させる。
【産業上の利用可能性】
【００７４】
本発明にかかる手乾燥装置は、公共施設や商業施設のトイレ及び洗面所に設置され、また、病院や調理場などにおいても同様の方法で実現することができる。
【図面の簡単な説明】
【００７５】
【図１】本発明の実施の形態１における手乾燥装置の構成を示す図
【図２】本発明の実施の形態１における手乾燥装置の動作を示すブロック図
【図３】本発明の実施の形態１における手乾燥装置のモータ異常を検知する方法を示す図
【図４】本発明の実施の形態１における手乾燥装置の動作時の吹出温の推移を示す図
【図５】本発明の実施の形態２における手乾燥装置の構成を示す図
【図６】本発明の実施の形態２における手乾燥装置の動作を示すブロック図
【図７】本発明の実施の形態２における手乾燥装置のモータ異常を検知する方法を示す図
【図８】本発明の実施の形態３における手乾燥装置の構成を示す図
【図９】本発明の実施の形態３における手乾燥装置の記憶装置１４に内蔵された温度テーブルを示す図
【図１０】本発明の実施の形態４における手乾燥装置のモータ異常を検知する方法を示す図
【図１１】本発明の実施の形態４における手乾燥装置の吹出温の推移を示す図
【符号の説明】
【００７６】
１    本体
２    壁面
３    乾燥室
４    ノズル
５    手検知センサ
６    手
７    制御回路
８ａ  ファンモータ
８ｂ  ファンモータ
９    吸い込み口
１０  風路
１１  吹出温センサ
１２  水受け
１３  周囲温センサ
１４  記憶装置
【図１】
2010220918.tif 000003
【図２】
2010220918.tif 000004
【図３】
2010220918.tif 000005
【図４】
2010220918.tif 000006
【図５】
2010220918.tif 000007
【図６】
2010220918.tif 000008
【図７】
2010220918.tif 000009
【図８】
2010220918.tif 000010
【図９】
2010220918.tif 000011
【図１０】
2010220918.tif 000012
【図１１】
2010220918.tif 000013